(57)【要約】【課題】デジタルカメラにおいて、ユーザがお気に入りの撮影画像をユーザの指示に応じて分類すると共に、分類した撮影画像を誤って削除してしまうのを防止する。【解決手段】ユーザが再生ボタン２６を押すと、デジタルカメラ１は画像再生モードへ移行する。ユーザがＯＫボタン２８を押すと、９つのお気に入りフォルダにそれぞれ対応する表示枠３２ａ〜３２ｉが画面に表示される（画面３１）。表示枠３２ａ〜３２ｉのいずれかをユーザが十字キー２７の操作により選択してＯＫボタン２８を押すと、選択した表示枠に対応するお気に入りフォルダに撮影画像が登録され、削除禁止フラグが付加される。ユーザが削除ボタン２４を押すと、削除禁止フラグが付加された撮影画像を除いて、そのとき表示されている撮影画像を削除する。【選択図】図２
2010062801.tif 000002
【特許請求の範囲】
【請求項１】
記録媒体に記録された撮影画像を、ユーザの操作に応じて、予め設定された複数のお気に入りフォルダのいずれかに登録する登録手段と、
前記登録手段により前記お気に入りフォルダに登録された撮影画像に対して、削除を禁止するためのフラグ情報を付加する削除禁止手段と、
前記ユーザの操作に応じて、前記削除禁止手段によって前記フラグ情報が付加された撮影画像を除いて、前記記録媒体に記録された撮影画像を削除する削除手段とを備えることを特徴とするデジタルカメラ。
【請求項２】
請求項１に記載のデジタルカメラにおいて、
前記記録媒体に記録された撮影画像を表示モニタに再生表示する再生表示手段と、
前記再生表示手段により前記撮影画像が前記表示モニタに再生表示されているときに、前記ユーザの操作に応じて、前記複数のお気に入りフォルダにそれぞれ対応する複数の表示枠を前記表示モニタに表示する枠表示手段と、
前記ユーザの操作に応じて、前記枠表示手段により前記表示モニタに表示された複数の表示枠のいずれかを選択する選択手段とをさらに備え、
前記登録手段は、前記表示モニタに再生表示されている撮影画像を前記選択手段により選択さわた表示枠に対応するお気に入りフォルダに登録することを特徴とするデジタルカメラ。
【請求項３】
請求項２に記載のデジタルカメラにおいて、
前記ユーザが行う決定操作を検出するための第１の操作部材と、
前記ユーザが行う方向指示操作を検出するための第２の操作部材とをさらに備え、
前記枠表示手段は、前記ユーザによる前記第１の操作部材の操作に応じて、前記複数の表示枠を前記表示モニタに表示し、
前記選択手段は、前記ユーザによる前記第２の操作部材の操作に応じて、前記複数の表示枠のいずれかを選択し、
前記登録手段は、前記ユーザによる前記第１の操作部材の操作に応じて、前記表示モニタに再生表示されている撮影画像を前記選択手段により選択さわた表示枠に対応するお気に入りフォルダに登録することを特徴とするデジタルカメラ。
【請求項４】
請求項２または３のいずれかに記載のデジタルカメラにおいて、
前記お気に入りフォルダに登録された撮影画像を再生表示するための所定のメニュー項目を含むメニュー画面を前記表示モニタに表示するメニュー表示手段をさらに備え、
前記メニュー画面において前記所定のメニュー項目が選択されると、前記枠表示手段は、前記複数の表示枠を前記表示モニタに表示し、
前記選択手段は、前記ユーザの操作に応じて、前記枠表示手段により前記表示モニタに表示された複数の表示枠のいずれかを選択し、
前記再生表示手段は、前記ユーザの操作に応じて、前記記録媒体に記録された撮影画像のうち、前記選択手段により選択された表示枠に対応するお気に入りフォルダに登録されている撮影画像を前記表示モニタに再生表示することを特徴とするデジタルカメラ。
【請求項５】
請求項１〜４のいずれか一項に記載のデジタルカメラにおいて、
前記フラグ情報が付加された撮影画像を前記ユーザが前記削除手段により削除しようとした場合、削除が禁止されていることを表す警告画面を前記表示モニタに表示する警告表示手段をさらに備えることを特徴とするデジタルカメラ。
【請求項６】
請求項１〜５のいずれか一項に記載のデジタルカメラにおいて、
前記フラグ情報が付加された撮影画像の前記お気に入りフォルダへの登録を解除する指示が前記ユーザから行われたか否かを判定する解除判定手段と、
前記解除判定手段によって前記お気に入りフォルダへの登録を解除する指示が前記ユーザから行われたと判定された場合に、当該撮影画像に付加された前記フラグ情報を消去する登録解除手段とをさらに備えることを特徴とするデジタルカメラ。
【請求項７】
請求項１〜６のいずれか一項に記載のデジタルカメラにおいて、
前記複数のお気に入りフォルダの各々について、登録された撮影画像の削除を禁止するか否かを設定する削除設定手段をさらに備え、
前記削除禁止手段は、前記削除設定手段により削除の禁止を設定されたお気に入りフォルダに登録された撮影画像に対しては前記フラグ情報を付加し、前記削除設定手段により削除の禁止を設定されていないお気に入りフォルダに登録された撮影画像に対しては前記フラグ情報を付加しないことを特徴とするデジタルカメラ。
【請求項８】
操作部材を有する情報処理装置の制御プログラムであって、
記録媒体に記録された情報を、ユーザによる前記操作部材の操作に応じて、予め設定された複数のお気に入りフォルダのいずれかに登録するステップと、
前記お気に入りフォルダに登録された情報に対して、削除を禁止するためのフラグ情報を付加するステップと、
前記ユーザによる前記操作部材の操作に応じて、前記フラグ情報が付加された情報を除いて、前記記録媒体に記録された情報を削除するステップとを前記情報処理装置に実行させるための制御プログラム。
【発明の詳細な説明】
【技術分野】
【０００１】
本発明は、デジタルカメラ、および情報処理装置の制御プログラムに関する。
【背景技術】
【０００２】
撮影画像フォルダに格納されたデータファイルに基づいてアルバムファイルを生成し、当該アルバムファイルをプロテクトした状態でアルバムフォルダに格納するデジタルカメラが知られている（特許文献１参照）。
【０００３】
【特許文献１】特開２００４−２７４４５７号公報
【発明の開示】
【発明が解決しようとする課題】
【０００４】
特許文献１に開示される従来のデジタルカメラでは、生成したアルバムファイルを１つのアルバムフォルダにしか格納することができない。そこで、デジタルカメラにおいて、ユーザがお気に入りの撮影画像をユーザの指示に応じて分類すると共に、分類した撮影画像を誤って削除してしまうのを防止することが求められている。
【課題を解決するための手段】
【０００５】
本発明によるデジタルカメラは、記録媒体に記録された撮影画像を、ユーザの操作に応じて、予め設定された複数のお気に入りフォルダのいずれかに登録する登録手段と、登録手段によりお気に入りフォルダに登録された撮影画像に対して、削除を禁止するためのフラグ情報を付加する削除禁止手段と、ユーザの操作に応じて、削除禁止手段によってフラグ情報が付加された撮影画像を除いて、記録媒体に記録された撮影画像を削除する削除手段とを備える。
本発明による制御プログラムは、操作部材を有する情報処理装置の制御プログラムであって、記録媒体に記録された情報を、ユーザによる操作部材の操作に応じて、予め設定された複数のお気に入りフォルダのいずれかに登録するステップと、お気に入りフォルダに登録された情報に対して、削除を禁止するためのフラグ情報を付加するステップと、ユーザによる操作部材の操作に応じて、フラグ情報が付加された情報を除いて、記録媒体に記録された情報を削除するステップとを情報処理装置に実行させる。
【発明の効果】
【０００６】
本発明によれば、ユーザがお気に入りの撮影画像をユーザの指示に応じて分類すると共に、分類した撮影画像を誤って削除してしまうのを防止することができる。
【発明を実施するための最良の形態】
【０００７】
図面を用いて、本発明の一実施の形態によるデジタルカメラについて説明する。図１は本実施の形態によるデジタルカメラの回路構成を示すブロック図である。デジタルカメラ１は、撮影レンズ１０、入力装置１３、焦点調節装置１４、撮像素子１５、制御回路１６、ＤＲＡＭ１７、フラッシュメモリ１８、メモリカードインタフェース（Ｉ／Ｆ）１９、ＬＣＤ駆動回路２１および液晶モニタ２２を備える。
【０００８】
撮像素子１５は、画素に対応する複数の光電変換素子を備えたＣＣＤやＣＭＯＳイメージセンサによって構成される。撮像素子１５は、撮像面上に結像されている被写体像を撮像し、被写体像の明るさに応じた光電変換信号（画像信号）を出力する。撮像素子１５の撮像面には、それぞれＲ（赤）、Ｇ（緑）およびＢ（青）のカラーフィルタが画素位置に対応するように設けられている。撮像素子１５がカラーフィルタを通して被写体像を撮像するため、各撮像素子から出力される画像信号は、それぞれＲＧＢ表色系の色情報を有する。
【０００９】
撮像素子１５から出力された画像信号は制御回路１６に入力される。制御回路１６は、画像信号に対して種々の画像処理を行い、画像データを生成する。そして、制御回路１６は生成された画像データに対してＪＰＥＧなどの所定の方式により圧縮処理を行い、ＥＸＩＦ（Exchangeable Image File Format）などの形式で記録媒体２０へ記録する。これにより、デジタルカメラ１が被写体を撮影して得られた撮影画像が記録媒体２０に記録される。制御回路１６は、たとえばＲＩＳＣなどで構成され、図１に示す各回路を制御する。
【００１０】
焦点調節装置１４は、撮像素子１５から出力される撮像信号に基づいて周知の焦点評価値演算を行い、演算結果を制御回路１６へ出力する。制御回路１６は、上記演算結果に基づいて、焦点評価値が最大となる位置へ撮影レンズ１０を移動する。
【００１１】
ＤＲＡＭ１７は、画像処理、画像圧縮処理および表示用画像データ作成処理の途中や処理後のデータを一時的に格納するために使用される。表示用画像データは、制御回路１６が撮像素子１５からの出力に基づいて生成した画像データ、もしくは記録媒体２０に記録されている画像データに基づいて、制御回路１６により生成される。生成された表示用画像データは、制御回路１６によりＤＲＡＭ１７に格納される。フラッシュメモリ１８は、たとえば制御回路１６が演算を行なうための各種の処理プログラムが記憶された不揮発性メモリである。
【００１２】
ＬＣＤ駆動回路２１は、制御回路１６の命令に基づいて液晶モニタ２２を駆動し、液晶モニタ２２に各種の画像を表示させる。制御回路１６がＬＣＤ駆動回路２１を制御することにより、液晶モニタ２２は、たとえば、記録媒体２０に記録された撮影画像を再生表示したり、デジタルカメラ１の各種設定メニュー画面を表示したりする。
【００１３】
入力装置１３は、ユーザがデジタルカメラ１を操作する際に用いられる複数のボタンである。入力装置１３は、電源ボタンやレリーズボタンに加えて、後で説明する各種の操作ボタンを含む。
【００１４】
次に、デジタルカメラ１が備える、撮影画像の分類機能について説明する。デジタルカメラ１には、撮影画像を登録するためのフォルダとして、１から９までの番号がそれぞれ割り当てられた９つのお気に入りフォルダが予め設定されている。記録媒体２０に記録されている撮影画像の画像ファイルの各々は、デジタルカメラ１において、１つまたは複数の任意のお気に入りフォルダに登録することができる。あるいは、いずれのお気に入りフォルダに登録しないこともできる。すなわち、記録媒体２０に記録されている撮影画像の各々は、１つ以上のお気に入りフォルダへ登録された状態、あるいは、どのお気に入りフォルダにも登録されていない状態のいずれかに設定される。
【００１５】
デジタルカメラ１は、記録媒体２０に記録されているすべての撮影画像の画像ファイルを、液晶モニタ２２へ順番に再生表示する機能を備える。これに加えて、いずれか１つのお気に入りフォルダに登録されている撮影画像の画像ファイルを、液晶モニタ２２へ順に表示する機能も備える。後者の機能を用いることで、ユーザが予め登録しておいた撮影画像のみを、連続的に表示することが可能である。
【００１６】
お気に入りフォルダは、１つの管理用ファイルによって管理される。管理用ファイルはＸＭＬ文書であり、記録媒体２０の中へ、所定の名前のファイルとして記録される。１つの管理用ファイルによって、９つのお気に入りフォルダが管理されている。
【００１７】
お気に入りフォルダへの画像ファイルの登録は、管理用ファイルを書き換えることで実現される。なお、お気に入りフォルダへの登録に際し、画像ファイルの複製や移動は行われない。１つの画像ファイルを、複数のお気に入りフォルダへ登録することも可能である。
【００１８】
次に、分類機能の具体的な使用例について、図を用いて説明する。初めに、お気に入りフォルダへの登録について述べる。図２は、お気に入りフォルダへ画像ファイルを登録する手順を示す図である。本手順では、デジタルカメラ１が入力装置１３の一部として備える、削除ボタン２４、お気に入りボタン２５、再生ボタン２６、十字キー２７、ＯＫボタン２８、および、メニューボタン２９を用いる。十字キー２７は、ユーザが行う上下左右の各方向指示操作を検出するための４つのボタンが円周上に配置されたボタンである。ＯＫボタン２８は、ユーザが行う決定操作を検出するためのボタンであり、十字キー２７の中央に配置されている。
【００１９】
まず、ユーザが再生ボタン２６を押すと、デジタルカメラ１は画像再生モードへ移行する。このとき液晶モニタ２２には、画面３０のように、記録媒体２０に記録されている撮影画像のうち、固有番号（後に詳述する）のもっとも小さいものが再生表示される。ユーザは、十字キー２７を押すことにより、次の撮影画像あるいは前の撮影画像へ表示を切り替えることができる。
【００２０】
上記の画像再生モードにおいて撮影画像が液晶モニタ２２に再生表示されているときに、ユーザがＯＫボタン２８を押すと、画面３１のように、９つのお気に入りフォルダにそれぞれ対応する表示枠３２ａ〜３２ｉが液晶モニタ２２に表示される。このうちたとえば表示枠３２ａには、アイコン３３と、代表画像３４と、チェックボックス３５が表示される。
【００２１】
アイコン３３は、表示枠３２ａに対応するお気に入りフォルダが、どのような画像ファイルを分類するためのものかを判りやすく示すためのシンボルである。アイコン３３の形状ならびに描画色は、お気に入りフォルダごとに、ユーザが任意に設定することができる。なお、アイコンの形状と描画色を何も設定していない場合は、表示枠３２ｆ〜３２ｉのように、お気に入りフォルダの番号がアイコンの代わりに表示される。
【００２２】
代表画像３４は、表示枠３２ａに対応するお気に入りフォルダに分類された画像ファイルのうち、固有番号がもっとも小さい画像ファイルを縮小してサムネイル化した画像である。代表画像３４は、ユーザが任意に設定することはできない。なお、画像ファイルが１つも登録されていないお気に入りフォルダの場合、表示枠３２ｆ〜３２ｉのように、代表画像３４は表示されない。
【００２３】
チェックボックス３５は、画面３０で示した、現在液晶モニタ２２に再生表示されている撮影画像の画像ファイルが、表示枠３２ａに対応するお気に入りフォルダに登録済みか否かを示す。登録済みであれば、チェックボックス３５にはチェックマークが表示される。
【００２４】
画面３１においてユーザが十字キー２７を操作すると、その操作に応じてデジタルカメラ１は、表示されている９つの表示枠３２ａ〜３２ｉのいずれかを選択する。なお、十字キー２７が操作されるまでは、図２に示すように表示枠３２ａが選択されている。こうして表示枠３２ａ〜３２ｉのいずれかが選択された後、ユーザがＯＫボタン２８を押すと、その操作に応じてデジタルカメラ１は、選択された表示枠に対応するお気に入りフォルダに、そのとき液晶モニタ２２に再生表示されている撮影画像の画像ファイルを登録する。こうしていずれかのお気に入りフォルダに再生表示中の画像ファイルが登録されると、画面３０へ戻る。
【００２５】
次に、お気に入りフォルダに登録した画像ファイルの、連続再生機能について述べる。図３は、お気に入りフォルダに登録した画像ファイルを再生する手順を示す図である。まず、お気に入りボタン２５を押すと、デジタルカメラ１の液晶モニタ２２には、画面４０のようなメニュー画面が表示される。ユーザは、このメニュー画面４０に表示されているいずれかのメニュー項目を十字キー２７の操作により選択してＯＫボタン２８を押すことにより、デジタルカメラ１の動作モードを選択することができる。例えば、符号４１のメニュー項目は撮影モードを、符号４２のメニュー項目は再生モードを、符号４３のメニュー項目はお気に入り再生モードをそれぞれ表す。いずれかのメニュー項目が選択されている状態でユーザによりＯＫボタン２８が押されると、デジタルカメラ１の動作モードが当該メニュー項目に対応する動作モードに変更される。
【００２６】
ユーザにより、お気に入り再生モードに対応するメニュー項目４３が選択されてＯＫボタン２８が押されると、デジタルカメラ１はお気に入り再生モードへ移行する。このとき液晶モニタ２２には、登録時と同様に、お気に入りフォルダを表す表示枠３２ａ〜３２ｉが表示される（画面４４）。なお、画面４４では登録時の画面３１とは異なり、再生表示中の撮影画像が登録済みであるか否かを示すためのチェックボックスは表示されない。この画面４４でユーザが表示枠３２ａ〜３２ｉのうちいずれか１つを十字キー２７の操作により選択してＯＫボタン２８を押すと、選択した表示枠に対応するお気に入りフォルダに登録されている撮影画像の連続再生が実行される。撮影画像の連続再生中、いずれかの撮影画像が表示されているときにユーザがＯＫボタン２８を押すと、当該撮影画像のお気に入りフォルダへの登録が解除される。
【００２７】
連続再生を行うお気に入りフォルダを選択する画面４４では、お気に入りフォルダに設定されているアイコンの色と形状を変更することができる。図４は、お気に入りフォルダにアイコンを設定する手順を示す図である。
【００２８】
まず、連続再生を行う場合と同様に、ユーザがお気に入りボタン２５を押すと、デジタルカメラ１は液晶モニタ２２にメニュー画面４０を表示する。このメニュー画面４０において、ユーザによりお気に入り再生モードに対応するメニュー項目４３が選択されると、デジタルカメラ１はお気に入り再生モードへ移行し、画面４４を表示する。連続再生を行うお気に入りフォルダを選択する画面４４において、ユーザがＯＫボタン２８ではなくメニューボタン２９を押すと、デジタルカメラ１は、選択されたお気に入りフォルダのアイコンを設定するための画面５４を液晶モニタ２２に表示する。画面５４でアイコンの色および形状を選択した後、ユーザがＯＫボタン２８を押すと、選択したお気に入りフォルダのアイコンが指定した色および形状に変更され、元の画面４４へ戻る。
【００２９】
画面５４の上部には、アイコンの色を選択する領域５５が表示され、画面５４の中部には、アイコンの形状を選択する領域５６が表示される。また、画面５４の下部には、プロテクト設定状態を選択するチェックボックス６１が表示される。ユーザは、まず色５７や色５８の中から、設定したい色を十字キー２７の操作によりカーソル５９で選択し、ＯＫボタン２８を押す。なお、色５８の左上に表示されているチェックマークは、現在設定されている色が色５８であることを示している。
【００３０】
色を決定すると、カーソル５９が形状を選択する領域５６へ移動するので、次にユーザはアイコンの形状を選択する。アイコン６０はお気に入りフォルダの番号を表すアイコンであり、個々のお気に入りフォルダごとに異なる番号となる。アイコン６１など、それ以外のアイコンは各お気に入りフォルダで共通となっている。これらのアイコンの中から、選択したお気に入りフォルダの識別に用いるアイコンを選択する。
【００３１】
ユーザがアイコンの形状を選択してＯＫボタン２８を押すと、デジタルカメラ１は、指定された色および形状のアイコンを当該お気に入りフォルダに設定する。その後、カーソル５９がチェックボックス６１に移動する。チェックボックス６１がチェックされていると、当該お気に入りフォルダがプロテクト設定され、当該お気に入りフォルダに登録されている撮影画像の削除が禁止される。すなわち、プロテクト設定されたお気に入りフォルダに登録されている撮影画像が再生表示されているときに削除ボタン２４が押されても、その撮影画像は記録媒体２０から削除されない。一方、チェックボックス６１がチェックされていないと、プロテクト設定が行わず、当該お気に入りフォルダに登録されている撮影画像が削除可能となる。すなわち、プロテクト設定されていないお気に入りフォルダに登録されている撮影画像が再生表示されているときに削除ボタン２４が押されると、その撮影画像は記録媒体２０から削除される。なお、チェックボックス６１は最初にチェックされた状態で表示される。カーソル５９がチェックボックス６１に重なっているときにユーザがＯＫボタン２８を押すことで、チェックボックス６１のチェックが外され、プロテクト設定が解除される。
【００３２】
上記のようにして、当該お気に入りフォルダに対してアイコンの色および形状を決定すると共に、プロテクト設定状態を決定した後、画面４４に戻る。例えば、画面４４において、お気に入りフォルダ５３を選択してアイコンの色と形状を設定した場合、画面５４から画面４４に戻ると、お気に入りフォルダ５３には画面５４において設定された色および形状のアイコンが表示される。
【００３３】
なお、上記のようなアイコンの色および形状の変更と、プロテクト設定状態の変更とを、連続再生を行うお気に入りフォルダを選択する際に限らず、他の状況において行うようにしてもよい。たとえば、撮影画像を登録する際に図２の画面３１においてメニューボタン２９が押されると、画面５４に移行して、アイコンの色と形状を変更したり、プロテクト設定状態を変更したりできるようにしてもよい。
【００３４】
また、デジタルカメラ１をパーソナルコンピュータに接続し、パーソナルコンピュータを介してネットワーク接続された所定のサーバからアイコンの形状と描画色をダウンロードすることで、デジタルカメラ１において設定可能なアイコンの形状と描画色を拡張できるようにしてもよい。あるいは、デジタルカメラ１をパーソナルコンピュータに接続せずに、デジタルカメラ１から取り外した記録媒体２０をパーソナルコンピュータにセットして、サーバからダウンロードしたアイコンの形状と描画色を記録媒体２０に記録することで、デジタルカメラ１において設定可能なアイコンの形状と描画色を拡張するようにしてもよい。
【００３５】
次に、お気に入りフォルダの管理用ファイルについて、図を用いて説明する。図５は、お気に入りフォルダの管理用ファイルの例を示す図である。管理用ファイルはＸＭＬで記述されている。管理用ファイルはheader要素で表されるヘッダ部、ならびに、favorite要素で表される画像リスト部によって構成される。
【００３６】
ヘッダ部には、管理用ファイル自身の情報ならびに管理用ファイルを生成したデジタルカメラ１の情報が格納されている。version要素は管理用ファイルを規定する版数を表す。creator要素は管理用ファイルの作成者を、modelname要素は管理用ファイルを作成したカメラの型名を、datetime要素は管理用ファイルを作成した日時を、firmversion要素は管理用ファイルを作成したカメラのファームウェア版数をそれぞれ表す。
【００３７】
画像リスト部は、お気に入りフォルダの情報を格納するfolderlist要素と、お気に入りフォルダに登録されている画像ファイルの情報を格納するfilelist要素から構成される。以下、folderlist要素とfilelist要素について、順に説明する。
【００３８】
folderlist要素は、１つ以上のfolder要素を含むことができる。１つのfolder要素が１つのお気に入りフォルダに対応する。各々のfolder要素は、foldername要素と、total要素と、iconcolor要素と、iconname要素から構成される。これらに加えて、firstimage要素を含んでいてもよい。
【００３９】
foldername要素は、お気に入りフォルダの名称を表す、１〜９の番号を内容とする。total要素は、お気に入りフォルダに登録されている画像ファイルの総数を表す。iconcolor要素は、お気に入りフォルダに設定されるアイコンの色を表し、０〜５の番号で所定の色を指定する。iconname要素は、お気に入りフォルダに設定されるアイコンの名称を表し、０〜９の番号で所定の形状を指定する。iconname要素が値０を持つ場合、アイコンとしてお気に入りフォルダの番号が用いられる。
【００４０】
firstimage要素は、お気に入りフォルダに登録されている画像ファイルのうち、固有番号がもっとも小さい画像ファイルのファイル名を格納する。お気に入りフォルダのシンボルには、firstimage要素で指定された画像ファイルの縮小画像が代表画像として表示される。お気に入りフォルダに画像ファイルが登録されていない場合、firstimage要素は存在しない。画像ファイルの登録を解除した結果として、画像ファイルが１つも登録されていない状態になったお気に入りフォルダからは、firstimage要素が削除される。
【００４１】
図５の例に示す管理用ファイルには、２つのお気に入りフォルダについての情報が格納されている。１番のお気に入りフォルダには、画像ファイルが３つ登録されており、アイコンの色は１、アイコンの名称は１である。２番のお気に入りフォルダには、画像ファイルが１つ登録されており、アイコンの色は３、アイコンの名称は９である。
【００４２】
次に、filelist要素について説明する。filelist要素は、１つ以上のfile要素を含むことができる。１つのfile要素が１つの画像ファイルに対応する。各々のfile要素は、fileid要素と、path要素と、folderset要素から構成される。
【００４３】
fileid要素は、画像ファイルの固有番号を表す。固有番号は、画像ファイルが格納されているディレクトリ番号と、画像ファイルのファイル名に含まれているファイル番号とを基に算出される、画像ファイルごとに一意に定まる番号である。path要素は、画像ファイルが記録されている場所を表す。
【００４４】
folderset要素は、画像ファイルが登録されているお気に入りフォルダを表す。folderset要素が持つ整数値の各ビットは、画像ファイルが登録されているお気に入りフォルダの番号と対応している。例えば、folderset要素が５であった場合、画像ファイルは１番と３番のお気に入りフォルダに登録されている。いずれかのお気に入りフォルダから登録を解除した際、folderset要素が０になったfile要素は、filelist要素から削除される。
【００４５】
図５の例に示す管理用ファイルには、３つの画像ファイルについての情報が格納されている。固有番号が６５５３６５５の画像ファイルは１番のお気に入りフォルダに、固有番号が６５５３６５６の画像ファイルは１番と２番のお気に入りフォルダに、固有番号が６５５３６５７の画像ファイルは１番のお気に入りフォルダに、それぞれ登録されている。
【００４６】
以上で詳述した管理用ファイルは、前述の通り記録媒体２０に記録されている。デジタルカメラ１は、起動後に初めて管理用ファイルへの読み書きが必要になった時点で、記録媒体２０に記録されている管理用ファイルを読み出し、ＤＲＡＭ１７へ展開する。そして、管理用ファイルへの読み書きは、ＤＲＡＭ１７上の管理用ファイルに対して行う。デジタルカメラ１の電源断を行う際、制御回路１６は、ＤＲＡＭ１７に展開されている管理用ファイルを、記録媒体２０に書き込む。
【００４７】
次に、デジタルカメラ１が備える、撮影画像の分類機能の具体的な処理内容について、図を用いて順に説明する。まず、お気に入りフォルダに撮影画像を登録する際の処理について説明する。図６は、お気に入りフォルダに撮影画像を登録する際に制御回路１６において実行される処理のフローチャートである。
【００４８】
ステップＳ１００では、再生ボタン２６が押されたか否かを判定する。ユーザによって再生ボタン２６が押されたら、ステップＳ１１０へ進む。ステップＳ１１０では、記録媒体２０に記録されている撮影画像を液晶モニタ２２に再生表示する。なお、複数の撮影画像が記録媒体２０に記録されている場合は、そのうち前述のように固有番号が最も小さいものを再生表示する。
【００４９】
ステップＳ１２０では、十字キー２７が押されたか否かを判定する。ユーザによって十字キー２７が押されたら、ステップＳ１３０へ進む。ステップＳ１３０では、ユーザによる十字キー２７の操作に応じて、１つ前または後の撮影画像を液晶モニタ２２に再生表示する。ステップＳ１３０を実行したらステップＳ１４０へ進む。一方、ステップＳ１２０において十字キー２７が押されていないと判定した場合は、ステップＳ１３０を実行せずにステップＳ１４０へ進む。
【００５０】
ステップＳ１４０では、ＯＫボタン２８が押されたか否かを判定する。ユーザによってＯＫボタン２８が押されたらステップＳ１５０へ進む。一方、ＯＫボタン２８が押されていない場合は、ステップＳ１６０へ戻る。
【００５１】
ステップＳ１５０では、図２の画面３１のようにお気に入りフォルダの一覧を表示するためのフォルダ一覧表示処理を実行する。フォルダ一覧表示処理の内容は、後で図７のフローチャートにより詳しく説明する。このフォルダ一覧表示処理を実行することにより、デジタルカメラ１において予め設定された９つのお気に入りフォルダにそれぞれ対応する表示枠３２ａ〜３２ｉが液晶モニタ２２に表示される。
【００５２】
ステップＳ１６０では、ステップＳ１５０のフォルダ一覧表示処理によって液晶モニタ２２に表示された表示枠３２ａ〜３２ｉのいずれかを選択する。ここでは前述のように、ユーザによる十字キー２７の操作に応じて、表示枠３２ａ〜３２ｉのいずれかを選択する。
【００５３】
ステップＳ１７０では、ＯＫボタン２８が押されたか否かを判定する。ユーザによってＯＫボタン２８が押されるまではステップＳ１６０に戻ってステップＳ１６０の処理を実行し続けることにより、ユーザの操作に応じた表示枠の選択を継続する。ユーザによりＯＫボタン２８が押されたら、ステップＳ１８０へ進む。
【００５４】
ステップＳ１８０では、再生表示中の撮影画像の画像ファイルをいずれかのお気に入りフォルダに登録するためのファイル登録処理を実行する。ファイル登録処理の内容は、後で図８のフローチャートにより詳しく説明する。このファイル登録処理を実行することにより、液晶モニタ２２に再生表示されている撮影画像が、ステップＳ１６０で選択された表示枠に対応するお気に入りフォルダに登録される。
【００５５】
ステップＳ１９０では、ステップＳ１６０で選択された表示枠に対応するお気に入りフォルダに対するプロテクト設定の有無を判定する。前述したようにチェックボックス６１がチェックされることにより、当該お気に入りフォルダに対してプロテクト設定がなされている場合は、ステップＳ１９５へ進む。一方、チェックボックス６１のチェックが外されることにより、当該お気に入りフォルダに対するプロテクト設定が解除されている場合は、ステップＳ１９５を実行せずにステップＳ１２０へ戻る。
【００５６】
ステップＳ１９５では、ステップＳ１８０でお気に入りフォルダに登録した撮影画像の画像ファイルに対して、削除を禁止するためのフラグ情報である削除禁止フラグを付加する。ここで削除禁止フラグがファイルに付加されることにより、当該撮影画像の削除が禁止され、削除ボタン２４が押されても記録媒体２０から削除されなくなる。ステップＳ１９５を実行したら、ステップＳ１２０へ戻る。
【００５７】
次に、図６のステップＳ１５０で実行されるフォルダ一覧表示処理について説明する。図７は、フォルダ一覧表示処理のフローチャートである。
【００５８】
まずステップＳ１では、処理対象のお気に入りフォルダ名を“１”とする。ステップＳ２では、処理対象のお気に入りフォルダが、管理用ファイルのfolderlist要素中に存在するか否かを判定する。処理対象のお気に入りフォルダが存在しない場合、ステップＳ２により否定判定がなされ、ステップＳ３へ進む。ステップＳ３では、処理対象のフォルダを表すシンボルに対し、所定の色と形状でアイコンを描画して、ステップＳ１０へ進む。
【００５９】
他方、ステップＳ２において肯定判定がなされた場合は、ステップＳ４へ進む。ステップＳ４では、処理対象のお気に入りフォルダに対応するfolder要素の、iconname要素およびiconcolor要素に基づいた色と形状で、アイコンを描画する。ステップＳ５では、上記のfolder要素にfirstimage要素が含まれているか否かを判定する。firstimage要素が存在していた場合、ステップＳ５により肯定判定がなされ、ステップＳ６へ進む。ステップＳ６では、処理対象のお気に入りフォルダを表すシンボルに対し、firstimage要素で指定された画像ファイルの縮小画像を描画して、ステップＳ７へ進む。他方、ステップＳ５において否定判定がなされた場合は、ステップＳ７へ進む。この場合、縮小画像は描画されない。
【００６０】
ステップＳ７では、現在再生されている画像ファイル（図２の画面３０に表示されている画像ファイル）が、管理用ファイルのfilelist要素中に存在するか否かを判定する。再生中の画像ファイルが存在しない場合、ステップＳ７により否定判定がなされ、ステップＳ１０へ進む。他方、ステップＳ７において肯定判定がなされた場合は、ステップＳ８へ進む。
【００６１】
ステップＳ８では、再生中の画像ファイルに対応するfile要素が備えるfolderset要素を確認し、処理対象のお気に入りフォルダに対応するビットが１になっているか否かを判定する。すなわち、再生中の画像ファイルが処理対象のお気に入りフォルダに登録されているか否かを判定する。処理対象のお気に入りフォルダに登録されていなかった場合、ステップＳ８において否定判定がなされ、ステップＳ１０へ進む。他方、ステップＳ８において肯定判定がなされた場合は、ステップＳ９へ進む。ステップＳ９では、処理対象のお気に入りフォルダに対応するチェックボックスへ、チェックマークを描画する。
【００６２】
ステップＳ１０では、１〜９のすべてのお気に入りフォルダを処理対象としたか否かを判定する。処理対象としていないお気に入りフォルダが残っている場合、ステップＳ１０において否定判定がなされ、ステップＳ１１へ進む。ステップＳ１１では、処理対象のお気に入りフォルダを、次のお気に入りフォルダとして、ステップＳ２へ戻る。他方、ステップＳ１０において肯定判定がなされた場合は、処理を終了する。
【００６３】
次に、図６のステップＳ１８０で実行されるファイル登録処理について説明する。図８は、ファイル登録処理のフローチャートである。
【００６４】
まずステップＳ１５では、図６のステップＳ１１０またはＳ１３０により現在再生されている画像ファイルが、管理用ファイルのfilelist要素中に存在するか否かを判定する。再生中の画像ファイルが存在する場合、ステップＳ１５により肯定判定がなされ、ステップＳ１７へ進む。他方、ステップＳ１５において否定判定がなされた場合は、ステップＳ１６へ進む。ステップＳ１６では、現在再生されている画像ファイルに対応するfile要素を、管理用ファイルのfilelist要素へ追加する。このとき、新しく追加されたfile要素の、folderset要素には０が与えられる。
【００６５】
ステップＳ１７では、図６のステップＳ１６０で選択された表示枠に対応する登録先のお気に入りフォルダ（図２の画面３１において選択されているお気に入りフォルダ）が、管理用ファイルのfolderlist要素中に存在するか否かを判定する。登録先のお気に入りフォルダが存在する場合、ステップＳ１７により肯定判定がなされ、ステップＳ１９へ進む。他方、ステップＳ１７において否定判定がなされた場合は、ステップＳ１８へ進む。ステップＳ１８では、登録先のお気に入りフォルダに対応するfolder要素を、管理用ファイルのfolderlist要素へ追加する。
【００６６】
ステップＳ１９では、再生中の画像ファイルに対応するfile要素が備えるfolderset要素を確認し、登録先のお気に入りフォルダに対応するビットが１になっているか否かを判定する。すなわち、再生中の画像ファイルが登録先のお気に入りフォルダに登録されているか否かを判定する。登録先のお気に入りフォルダに登録済みであった場合、ステップＳ１９により肯定判定がなされ、処理を終了する。他方、ステップＳ１９において否定判定がなされた場合は、ステップＳ２０へ進む。
【００６７】
ステップＳ２０では、上記folderset要素の、登録先のお気に入りフォルダに対応するビットを１にする。これにより、再生中の画像ファイルがお気に入りフォルダに登録された状態となる。ステップＳ２１では、登録先のお気に入りフォルダの、total要素の内容へ１を加算する。
【００６８】
ステップＳ２２では、登録先のお気に入りフォルダに対応するfolder要素が、firstimage要素を含んでいるか否かを判定する。firstimage要素が存在しなかった場合、ステップＳ２２により肯定判定がなされ、ステップＳ２３へ進む。ステップＳ２３では、再生中の画像ファイルを内容とするfirstimage要素を、登録先のお気に入りフォルダに対応するfolder要素に追加し、処理を終了する。他方、ステップＳ２２において否定判定がなされた場合は、ステップＳ２４へ進む。
【００６９】
ステップＳ２４では、再生中の画像ファイルの固有番号と、登録先のお気に入りフォルダのfirstimage要素で示される画像ファイルの固有番号とを比較し、前者が後者よりも小さいか否かを判定する。固有番号は、管理用ファイルのfilelist要素から、それぞれの画像ファイルに対応するfileid要素を探索することで求められる。再生中の画像ファイルの固有番号が小さくなかった場合、ステップＳ２４により否定判定がなされ、処理を終了する。他方、ステップＳ２４において肯定判定がなされた場合は、ステップＳ２５へ進む。ステップＳ２５では、登録先のお気に入りフォルダが備えるfirstimage要素の内容を、再生中の画像ファイルで置き換え、処理を終了する。
【００７０】
次に、お気に入りフォルダに登録された撮影画像を再生表示する際の処理について説明する。図９は、お気に入りフォルダに登録された撮影画像を再生表示する際に制御回路１６において実行される処理のフローチャートである。
【００７１】
ステップＳ２００では、お気に入りボタン２５が押されたか否かを判定する。ユーザによってお気に入りボタン２５が押されたら、ステップＳ２１０へ進む。ステップＳ２１０では、図３および図４に示すメニュー画面４０を液晶モニタ２２に表示する。ステップＳ２２０では、ステップＳ２１０で表示されたメニュー画面４０においていずれかのメニュー項目を選択する。ここでは前述のように、ユーザによる十字キー２７の操作に応じて、いずれかのメニュー項目を選択する。ＯＫボタン２８が押されると、選択されているメニュー項目が確定される。
【００７２】
ステップＳ２３０では、ステップＳ２２０で表示されたメニュー画面４０において、お気に入り再生モードに対応するメニュー項目４３が選択された否かを判定する。メニュー項目４３が選択された場合は、ステップＳ２４０へ進む。一方、メニュー項目４３以外が選択された場合は、図９のフローチャートの処理を終了して、選択されたメニュー項目に対応する処理を実行する。
【００７３】
ステップＳ２４０では、図６のステップＳ１５０と同様に、図７のフローチャートに示すフォルダ一覧表示処理を実行する。これにより、図３および図４に示す画面４４のように、デジタルカメラ１において予め設定された９つのお気に入りフォルダにそれぞれ対応する表示枠３２ａ〜３２ｉが液晶モニタ２２に表示される。なお、ここでは前述のように再生表示中の撮影画像が登録済みであるか否かを示すためのチェックボックスを表示する必要はないため、図７においてステップＳ８およびＳ９の処理は省略される。
【００７４】
ステップＳ２５０では、図６のステップＳ１６０と同様に、ステップＳ２４０のフォルダ一覧表示処理によって液晶モニタ２２に表示された表示枠３２ａ〜３２ｉのいずれかを選択する。ここでは前述のように、ユーザによる十字キー２７の操作に応じて、表示枠３２ａ〜３２ｉのいずれかを選択する。
【００７５】
ステップＳ２６０では、ＯＫボタン２８が押されたか否かを判定する。ユーザによってＯＫボタン２８が押されるまではステップＳ２５０に戻ってステップＳ２５０の処理を実行し続けることにより、ユーザの操作に応じた表示枠の選択を継続する。ユーザによりＯＫボタン２８が押されたら、ステップＳ２７０へ進む。
【００７６】
ステップＳ２７０では、お気に入りフォルダに登録されている撮影画像の画像ファイルを再生表示するためのファイル表示処理を実行する。ファイル表示処理の内容は、後で図１０のフローチャートにより詳しく説明する。このファイル表示処理を実行することにより、記録媒体２０に記録された撮影画像のうち、ステップＳ２５０で選択された表示枠に対応するお気に入りフォルダに登録されている撮影画像が液晶モニタ２２に再生表示される。ステップＳ２７０を実行したら、処理を終了する。
【００７７】
次に、図９のステップＳ２７０で実行されるファイル表示処理について説明する。図１０は、ファイル表示処理のフローチャートである。
【００７８】
まずステップＳ３１では、表示済みファイル数を０で初期化する。ステップＳ３２では、表示対象のお気に入りフォルダの、firstimage要素で示される画像ファイルを表示する。ステップＳ３３では、十字キー２７（図２）によって、次の画像を表示するための操作が行われたか否かを判定する。上記の操作が行われていない場合、ステップＳ３３により否定判定がなされ、ステップＳ３３を繰り返し実行する。他方、ステップＳ３３において肯定判定が行われた場合は、ステップＳ３４へ進む。
【００７９】
ステップＳ３４では、表示済みファイル数に１を加算する。ステップＳ３５では、表示対象のお気に入りフォルダに対応するtotal要素が、表示済みファイル数と等しいか否かを判定する。total要素が表示済みファイル数と等しい場合、ステップＳ３５により肯定判定がなされ、処理を終了する。他方、ステップＳ３５において否定判定がなされた場合は、ステップＳ３６へ進む。
【００８０】
ステップＳ３６では、現在表示中の画像ファイルの固有番号を調べ、次に大きな固有番号を持つ画像ファイルを、管理用ファイルのfilelist要素から選択する。ステップＳ３７では、上記選択した画像ファイルのfolderset要素の、表示対象のお気に入りフォルダに対応するビットが１であるか否かを判定する。上記のビットが１ではなかった場合、ステップＳ３７において否定判定がなされ、ステップＳ３６に戻り、次の画像ファイルに対して処理を繰り返す。他方、ステップＳ３７において肯定判定がなされた場合は、ステップＳ３８へ進み、選択した画像ファイルの表示を行う。
【００８１】
ステップＳ３９では、削除ボタン２４がユーザによって押されたか否かを判定する。削除ボタン２４が押されることにより、ステップＳ３８で表示された撮影画像のファイルをユーザが削除しようとした場合は、ステップＳ４０へ進む。ステップＳ４０では、当該撮影画像の削除が禁止されていることを表す警告画面を液晶モニタ２２に表示する。ステップＳ４０を実行したらステップＳ４１へ進む。一方、ステップＳ３９において削除ボタン２４が押されていないと判定した場合は、ステップＳ４０を実行せずにステップＳ４１へ進む。
【００８２】
ステップＳ４０において表示される警告画面の例を図１１に示す。この警告画面では、ステップＳ３８で表示された撮影画像に重ねて、「この画像は削除できません」と書かれたメッセージウィンドウ７０が表示されている。これにより、当該撮影画像のファイルは削除できないことをユーザに対して知らせる。
【００８３】
ステップＳ４１では、ステップＳ３８で表示された撮影画像のファイルに対して、お気に入りフォルダへの登録を解除するか否かを判定する。ユーザがお気に入りフォルダへの登録を解除するための所定の操作を行った場合、たとえばＯＫボタン２８を押すことで所定の登録解除画面を表示し、その登録解除画面において登録解除を選択する操作を行った場合は、ステップＳ４２へ進む。ステップＳ４２では、管理用ファイルの内容を書き換えることにより、ステップＳ３８で選択した画像ファイルのお気に入りフォルダへの登録を解除すると共に、図６のステップＳ１９５において当該撮影画像ファイルに付加された削除禁止フラグを消去する。これにより、当該撮影画像ファイルの削除を許可する。ステップＳ４２を実行したらステップＳ３３へ戻る。一方、ステップＳ４１においてお気に入りフォルダへの登録を解除しないと判定した場合は、ステップＳ４２を実行せずにステップＳ３３へ戻る。
【００８４】
ステップＳ４１の判定の際に表示される登録解除画面の例を図１２に示す。この登録解除画面では、ステップＳ３８で表示された撮影画像に重ねて、お気に入りフォルダへの登録を解除するか否かをユーザに選択させるための選択ウィンドウ８０が表示されている。この選択ウィンドウ８０においてユーザが「はい」を選択すると、ステップＳ４１が肯定判定されてステップＳ４２へ進む。反対にユーザが「いいえ」を選択すると、ステップＳ４１が否定判定されてステップＳ４２を実行せずにステップＳ３３へ戻る。
【００８５】
なお、前述の通り、以上で詳述した処理において、管理用ファイルの読み書きについては、記録媒体２０に存在する管理用ファイルに対してではなく、ＤＲＡＭ１７に展開された管理用ファイルに対して行われる。
【００８６】
以上説明した実施の形態によれば、次の作用効果が得られる。
（１）デジタルカメラ１は、制御回路１６の処理により、記録媒体２０に記録された撮影画像を、ユーザの操作に応じて、予め設定された９つのお気に入りフォルダのいずれかに登録する（ステップＳ１８０）。また、ステップＳ１８０の処理によってお気に入りフォルダに登録された撮影画像に対して、削除を禁止するためのフラグ情報である削除禁止フラグを付加する（ステップＳ１９５）。さらに、ユーザが削除ボタン２４を押すと、その操作に応じて、ステップＳ１９５の処理によってフラグ情報が付加された撮影画像を除いて、記録媒体２０に記録された撮影画像を削除する。このようにしたので、ユーザがお気に入りの撮影画像をユーザの指示に応じて分類すると共に、分類した撮影画像を誤って削除してしまうのを防止することができる。
【００８７】
（２）デジタルカメラ１は、制御回路１６の処理により、記録媒体２０に記録された撮影画像を液晶モニタ２２に再生表示する（ステップＳ１１０、Ｓ１３０）。この撮影画像が液晶モニタ２２に再生表示されているときに、ユーザの操作に応じて、９つのお気に入りフォルダにそれぞれ対応する表示枠３２ａ〜３２ｉを液晶モニタ２２に表示し（ステップＳ１５０）、その後、ユーザの操作に応じて、表示枠３２ａ〜３２ｉのいずれかを選択する（ステップＳ１６０）。ステップＳ１８０では、こうして液晶モニタ２２に再生表示されている撮影画像を、ステップＳ１６０で選択された表示枠に対応するお気に入りフォルダに登録する。このようにしたので、デジタルカメラ１において、記録媒体２０に記録されている撮影画像をユーザの指示に応じて的確に分類することができる。
【００８８】
（３）デジタルカメラ１は、ユーザが行う決定操作を検出するためのＯＫボタン２８と、ユーザが行う方向指示操作を検出するための十字キー２７とを備える。ステップＳ１５０では、ユーザによるＯＫボタン２８の操作に応じて、表示枠３２ａ〜３２ｉを液晶モニタ２２に表示する。ステップＳ１６０では、ユーザによる十字キー２７の操作に応じて、表示枠３２ａ〜３２ｉのいずれかを選択する。ステップＳ１８０では、ユーザによるＯＫボタン２８の操作に応じて、液晶モニタ２２に再生表示されている撮影画像を、ステップＳ１６０で選択された表示枠に対応するお気に入りフォルダに登録する。このようにしたので、デジタルカメラ１において、記録媒体２０に記録されている撮影画像を簡単な操作で分類することができる。
【００８９】
（４）デジタルカメラ１は、制御回路１６の処理により、お気に入りフォルダに登録された撮影画像を再生表示するためのお気に入り再生モードに対応するメニュー項目４３を含むメニュー画面４０を液晶モニタ２２に表示する（ステップＳ２１０）。このメニュー画面４０において、メニュー項目４３が選択されると、デジタルカメラ１は制御回路１６の処理により、お気に入り再生モードへ移行して、画面４４において表示枠３２ａ〜３２ｉを液晶モニタ２２に表示する（ステップＳ２４０）。さらに、ユーザによる十字キー２７の操作に応じて、表示枠３２ａ〜３２ｉのいずれかを選択し（ステップＳ２５０）、ユーザによるＯＫボタン２８の操作に応じて、ステップＳ２５０で選択された表示枠に対応するお気に入りフォルダに登録されている撮影画像を液晶モニタ２２に再生表示する（ステップＳ２７０）。このようにしたので、デジタルカメラ１において、お気に入りフォルダに登録されている撮影画像のみを簡単な操作で再生表示することができる。
【００９０】
（５）ステップＳ１９５の処理によって削除禁止フラグが付加された撮影画像をユーザが削除ボタン２４を押すことによって削除しようとした場合、デジタルカメラ１は、制御回路１６の処理により、削除が禁止されていることを表す警告画面を液晶モニタ２２に再生表示する（ステップＳ４０）。このようにしたので、デジタルカメラ１において、当該撮影画像のファイルはお気に入りフォルダに登録されており、そのために削除できないことをユーザに対して知らせることができる。
【００９１】
（６）デジタルカメラ１は、制御回路１６の処理により、削除禁止フラグ情報が付加された撮影画像のお気に入りフォルダへの登録を解除する指示がユーザから行われたか否かを判定する（ステップＳ４１）。このステップＳ４１の処理により、お気に入りフォルダへの登録を解除する指示がユーザによって行われたと判定された場合に、当該撮影画像に付加されたフラグ情報を消去する（ステップＳ４２）。このようにしたので、デジタルカメラ１において、お気に入りフォルダへの登録を解除した撮影画像については、自動的にプロテクトを外して削除可能な状態に戻すことができる。
【００９２】
（７）デジタルカメラ１は、制御回路１６の処理により、予め設定された９つのお気に入りフォルダの各々について、チェックボタン６１に対するチェックの有無に応じて、登録された撮影画像の削除を禁止するか否かを設定する。そして、ステップＳ１９５で削除禁止フラグを付加する際にその設定状態を判定し（ステップＳ１９０）、その判定結果に応じて、削除の禁止を設定されたお気に入りフォルダに登録された撮影画像に対しては、ステップＳ１９５の処理により削除禁止フラグを付加する。一方、削除の禁止を設定されていないお気に入りフォルダに登録された撮影画像に対しては、ステップＳ１９５を実行せずに削除禁止フラグを付加しないようにする。このようにしたので、デジタルカメラ１において、登録された撮影画像をプロテクトするか否かをお気に入りフォルダごとに任意に設定することができる。
【００９３】
次のような変形も本発明の範囲内である。
（１）画像ファイルは、記録媒体２０ではなくフラッシュメモリ１８に保存してもよい。この場合、お気に入りフォルダの管理用ファイルについても、フラッシュメモリ１８に保存される。
（２）お気に入りフォルダの数は９つに限定されず、いくつであってもよい。ユーザの操作によりお気に入りフォルダの数を変更できるようにしてもよい。
（３）図６〜１０のフローチャートで説明した処理をデジタルカメラ１ではなく、パーソナルコンピュータなどにおいて画像処理を行う際に実行してもよい。さらに撮影画像に限らず、任意の情報について上記のような処理を行ってもよい。すなわち、このような処理を実行するプログラムは、操作部材を有する情報処理装置の制御プログラムとして供給することができる。この処理を実行するためのプログラムは、ＣＤ−ＲＯＭやＤＶＤ−ＲＯＭ、メモリカードなどの記録媒体に記録されたプログラムとして供給してもよいし、ネットワーク上で送受信される搬送波に重畳された信号波によるプログラムとして供給してもよい。
【００９４】
本発明の特徴を損なわない限り、本発明は上記実施の形態に限定されるものではなく、本発明の技術的思想の範囲内で考えられるその他の形態についても、本発明の範囲内に含まれる。
【００９５】
なお、以上の対応関係の説明は一例であり、権利解釈に際して何ら拘束されるものではない。
【図面の簡単な説明】
【００９６】
【図１】第１の実施の形態によるデジタルカメラの回路構成を示すブロック図である。
【図２】お気に入りフォルダへ画像ファイルを登録する手順を示す図である。
【図３】お気に入りフォルダに登録した画像ファイルを再生する手順を示す図である。
【図４】お気に入りフォルダにアイコンを設定する手順を示す図である。
【図５】お気に入りフォルダの管理用ファイルの例を示す図である。
【図６】お気に入りフォルダに撮影画像を登録する際の処理を示すフローチャートである。
【図７】フォルダ一覧表示処理を示すフローチャートである。
【図８】ファイル登録処理を示すフローチャートである。
【図９】お気に入りフォルダに登録された撮影画像を再生表示する際の処理を示すフローチャートである。
【図１０】ファイル表示処理を示すフローチャートである。
【図１１】警告画面の例を示す図である。
【図１２】登録解除画面の例を示すフローチャートである。
【符号の説明】
【００９７】
１  デジタルカメラ
１３  入力装置
１６  制御回路
１７  ＤＲＡＭ
２０  記録媒体
２２  液晶モニタ
【図１】
2010062801.tif 000003
【図２】
2010062801.tif 000004
【図３】
2010062801.tif 000005
【図４】
2010062801.tif 000006
【図５】
2010062801.tif 000007
【図６】
2010062801.tif 000008
【図７】
2010062801.tif 000009
【図８】
2010062801.tif 000010
【図９】
2010062801.tif 000011
【図１０】
2010062801.tif 000012
【図１１】
2010062801.tif 000013
【図１２】
2010062801.tif 000014